(57)【要約】【課題】電池を駆動源とし、ガスバーナの上流に接続した燃料弁をモータで駆動するガスコンロでは、同時に複数のガスバーナに点火するような操作をしても、常に１個ずつモータを駆動させるので同時に複数のガスバーナに点火されず、複数のガスバーナに対して点火操作をした者からすれば、違和感を感じる。【解決手段】各モータを個別に駆動させた場合での上記電池の電圧降下分を予め記憶しておき、複数のモータを並行して駆動させる点火操作がされた場合に、電圧降下後の電池の電圧を予測し、この予測された電圧と所定の基準電圧とを比較して、予測された電圧が基準電圧より高い場合に上記点火操作された複数のモータを並行して駆動させる。【選択図】  図２
2014137152.tif 000002
【特許請求の範囲】
【請求項１】
複数のガスバーナを備え、ガスバーナに対して点火操作がされると、ガスバーナへのガス供給量が点火に適したガス供給量になるまでモータによって駆動される燃料弁を各ガスバーナ毎に設けたガスコンロであって、上記モータの駆動源として電池を備えたものにおいて、上記各モータを個別に駆動させた場合での上記電池の電圧降下分を予め記憶しておき、複数のモータを並行して駆動させる点火操作がされた場合に、電圧降下後の電池の電圧を予測し、この予測された電圧と所定の基準電圧とを比較して、予測された電圧が基準電圧より高い場合に上記点火操作された複数のモータを並行して駆動させることを許可することを特徴とするガスコンロ。
【請求項２】
複数のガスバーナについて点火操作がされると、その時点での電池の電圧を測定し、その測定された電圧から、点火操作されたガスバーナに対応するモータの電圧降下分の総和を減じて、その値を上記電池の電圧の予測値とすることを特徴とする請求項１に記載のガスコンロ。
【請求項３】
前回モータを駆動させた際の電池の電圧の最低値を記憶し、次回点火操作がされた場合に、その記憶された電圧の最低値から、前回駆動したモータの個数と今回駆動させるモータの個数との差に応じて電圧降下分を加減し、その値を上記電池の電圧の予測値とすることを特徴とする請求項１に記載のガスコンロ。
【請求項４】
複数のガスバーナについて点火操作がされた場合に、電池の電圧の予測値が上記基準電圧以下になると、並行して駆動するモータの個数を１個ずつ減じ、その都度電池の電圧の予測値を更新して、更新された値が上記基準電圧より高くなった時点でのモータの個数を並行して駆動することを特徴とする請求項１から請求項３のいずれかに記載のガスコンロ。
【発明の詳細な説明】
【技術分野】
【０００１】
本発明は、複数のガスバーナを備え、ガスバーナに対して点火操作がされると、ガスバーナへのガス供給量が点火に適したガス供給量になるまでモータによって駆動される燃料弁を各ガスバーナ毎に設けたガスコンロであって、上記モータの駆動源として電池を備えたものに関する。
【背景技術】
【０００２】
ガスコンロにガスを供給するガス供給路には上述の燃料弁が介設されている。例えば、天板上に３個のガスバーナを備えると共に、グリル庫を有するガスコンロでは、合計４系統のガスバーナを備えており、各系統毎にガス供給路が配管され、かつ各ガス供給路には各々燃料弁が介設されている。
【０００３】
一方、各ガスバーナの点消火および火力調節はガスコンロの前面に設けられた点消火ボタンを兼ねた火力調節つまみによって行われる。ガスバーナが消火状態では火力調節つまみが埋没している機種では、点火する際に火力調節つまみを押す操作を行う。すると火力調節つまみは手前側に突出し、火力調節つまみの周面をつまんで火力調節のため回動できる状態になる。
【０００４】
また、火力調節つまみが押し操作されると、ガスバーナ近傍で点火器が駆動して火花放電が開始されると共に、中火に相当するガスがガス供給路を通ってガスバーナに供給されるように燃料弁の開度が調節される。ガスバーナが消火状態では燃料弁が閉弁しているものでは、その閉弁状態から中火に相当する開度まで燃料弁を駆動する必要がある。
【０００５】
燃料弁にモータを配設しておき、この燃料弁の開度の調節をモータによって行うものであって、駆動用の電源として電池を用いているものでは、同時に複数のモータを駆動させると電池が消耗するので、たとえ同時にモータが駆動するような点火操作がされても、常に１個のモータしか駆動させず、１つのモータの駆動が終了した後、残りのモータを１個ずつ駆動させることにより、電力消費の最大値を抑えるようにしたものが知られている（例えば、特許文献１参照）。
【先行技術文献】
【特許文献】
【０００６】
【特許文献１】特開平９−１３３３５５号公報（請求項１）
【発明の概要】
【発明が解決しようとする課題】
【０００７】
上記従来のものでは、同時に複数のガスバーナに点火するような操作をしても、実際には１個ずつ順次ガスバーナに点火されることになり、複数のガスバーナに対して点火操作をした者からすれば、違和感を感じることになる。
【０００８】
そこで本発明は、上記の問題点に鑑み、複数のガスバーナに対して点火操作をした場合に可及的に違和感を感じることのないガスコンロを提供することを課題とする。
【課題を解決するための手段】
【０００９】
上記課題を解決するために本発明によるガスコンロは、複数のガスバーナを備え、ガスバーナに対して点火操作がされると、ガスバーナへのガス供給量が点火に適したガス供給量になるまでモータによって駆動される燃料弁を各ガスバーナ毎に設けたガスコンロであって、上記モータの駆動源として電池を備えたものにおいて、上記各モータを個別に駆動させた場合での上記電池の電圧降下分を予め記憶しておき、複数のモータを並行して駆動させる点火操作がされた場合に、電圧降下後の電池の電圧を予測し、この予測された電圧と所定の基準電圧とを比較して、予測された電圧が基準電圧より高い場合に上記点火操作された複数のモータを並行して駆動させることを許可することを特徴とする。
【００１０】
電池が新しく十分な電力量を蓄えている状態では電池の電圧が高く、蓄えている電力量が減少するに伴って電圧が低下する。そこで、並行して駆動させるように指示された複数のモータを実際に駆動させた場合の電圧を予想し、電力量が十分にあるとして設定された基準電圧より予想された電圧が高ければ、１個ずつモータを駆動させるのではなく複数のモータを並行して駆動させるようにした。
【００１１】
なお、電池の電圧の予想は、複数のガスバーナについて点火操作がされると、その時点での電池の電圧を測定し、その測定された電圧から、点火操作されたガスバーナに対応するモータの電圧降下分の総和を減じて、その値を上記電池の電圧の予測値とすることが考えられる。
【００１２】
あるいは、前回モータを駆動させた際の電池の電圧の最低値を記憶し、次回点火操作がされた場合に、その記憶された電圧の最低値から、前回駆動したモータの個数と今回駆動させるモータの個数との差に応じて電圧降下分を加減し、その値を上記電池の電圧の予測値としてもよい。
【００１３】
なお、複数のモータを並行して駆動させることが無理であると判断された場合、直ちに１個ずつモータを駆動させるモードに切り替えるのではなく、複数のガスバーナについて点火操作がされた場合に、電池の電圧の予測値が上記基準電圧以下になると、並行して駆動するモータの個数を１個ずつ減じ、その都度電池の電圧の予測値を更新して、更新された値が上記基準電圧より高くなった時点でのモータの個数を並行して駆動するようにしてもよい。
【発明の効果】
【００１４】
以上の説明から明らかなように、本発明は、電池が蓄えている電力量が十分にある場合には複数のモータを並行して駆動させることにより、ガスコンロの使用者に対して違和感を感じさせないことができる。また、駆動させるべきモータの全てが駆動を完了するまでの時間が、各モータを単独で順次駆動するものより短くなるので、例えば、点火操作がされたときに放電装置により全てのバーナに放電がされるものにおいては、複数のモータを並行して駆動することで個別に順次駆動する場合よりも放電時間を短くすることができるため、電池の消耗を抑える効果が期待される。
【図面の簡単な説明】
【００１５】
【図１】本発明の一実施の形態の構成を示す図
【図２】ガスコンロの内部構造を示す模式図
【図３】本発明の制御内容を示すフロー図
【発明を実施するための形態】
【００１６】
図１を参照して、１は本発明によるガスコンロの一例である。このガスコンロ１には上面に天板２が設けられており、その天板２には３個のガスバーナ２１，２２，２３が配設されている。これら３個のガスバーナの他に前面に開口するグリル庫３内に上下に分割してガスバーナであるグリルバーナ３１が設けられている。
【００１７】
これらの４個のガスバーナ２１，２２，２３，３１の点消火および火力調節は火力調節つまみで行う。各ガスバーナの各々に対応して４個の火力調節つまみ１１，１２，１３，１４が設けられている。火力調節つまみ１１を例に説明すると、この火力調節つまみ１１はガスバーナ２１に対応して設けられており、ガスバーナ２１が消火状態では火力調節つまみ１１はガスコンロ１の前面パネルに埋没している。ガスバーナ２１を点火して調理に使用する際には、火力調節つまみ１１を更に押し込んでから手を離す。すると、火力調節つまみ１１は前面パネルから前方に突出して、円柱状の火力調節つまみ１１の周面をつまんで回動できる状態になる。
【００１８】
一方、各火力調節つまみには各々に対応して後述する燃料弁が設けられている。図２を合わせて参照して、火力調節つまみ１１には燃料弁４１が対応して設けられている。燃料弁４１はガスバーナ２１にガスを供給するガス供給路に設けられており、ガスバーナ２１へのガスの供給を遮断し、また供給量を増減する機能を有している。この燃料弁４１の駆動はモータ４１ａによって行われる。
【００１９】
モータ４１ａおよび他の燃料弁４２，４３，４４に設けられているモータ４２ａ，４３ａ，４４ａは全て前面パネルに設けた電池ケース１５内に収納された乾電池（本実施の形態では２個を直列接続して使用）を駆動用電源として駆動する。同じく前面パネルに設けられた電源スイッチ１０が最初に押し操作されてＯＮになると、図外のコントローラに通電され、コントローラは所定の始動ルーチンを済ませた後、元弁４を開弁させる。
【００２０】
次に、上記のように例えば火力調節つまみ１１が押されることによって点火操作がされると、バーナ点火用の放電装置（図示せず）が作動して各バーナに対して放電が開始され、かつ、コントローラはモータ４１ａを駆動させて、燃料弁４１の開度を全閉状態から点火用の所定開度になるまで燃料弁４１を駆動する。バーナ点火後は、火力調節つまみ１１が回動されて火力調節操作がされると、モータ４１ａを正逆回転させて燃料弁４１の開度を増減させる。そして、最後に火力調節つまみ１１が前面パネルに押し込まれて消火操作がされると、モータ４１ａを駆動させて燃料弁４１の開度を全閉状態に戻す。
【００２１】
上記の点火操作がされると、燃料弁４１を全閉状態から点火用の所定開度になるまでモータを駆動させるが、複数のガスバーナに対して同時に点火操作がされたり、１個のモータが駆動中に他のガスバーナに対して点火操作がされると、複数のモータを並行して駆動させる（並行駆動）か、あるいは先行するモータの駆動が終了してから次のモータを駆動させるのかを判断する必要が生じる。
【００２２】
その判断の内容を図３のフロー図を参照して説明する。なお、このフロー図で使用する変数は以下の通りである。
V_last：前回駆動時の最低電圧値
V_now：今回駆動時の最低電圧値の予測値
V_real：今回駆動時の最低電圧値の実測値
V_down：１個の燃料弁を駆動したときの電圧降下値
V_limit：エラー停止となる基準電圧値
V_sync：並行駆動可否の判定用の基準電圧値
t：V_last記録時の並行駆動個数
m：tと今回の並行駆動個数との差
n：モータ駆動中に駆動追加されるモータの個数
p：並行して駆動させるモータの個数
【００２３】
図３を参照して、点火操作がされると、今回駆動時の最低電圧値の予測値（V_now）として、前回駆動時の最低電圧値（V_last）から１個の燃料弁を駆動したときの電圧降下値（V_down）にV_last記録時の並行駆動個数と今回の並行駆動個数との差（m）を乗じたものを引いた値を代入する。前回モータ駆動中における最低電圧値を記録した時点で並行して駆動していたモータの個数が２であった場合に、今回駆動させるモータの個数が１であると、モータの個数が１個減少しているのでm＝−１である。V_downが０．４ボルトであるとすると、V_now=V_last+0.4となる。逆に、前回モータ駆動中における最低電圧値を記録した時点で駆動していたモータの個数が１であった場合に、今回駆動させるモータの個数が２であると、モータの個数が１個増加しているのでm＝１である。従って、V_now=V_last-0.4となる。なお、前回のモータの個数と今回のモータの個数とが同数であればm=0であるから、V_now=V_lastである（以上、Ｓ１）。
【００２４】
次にＳ２では、並行して駆動させるモータの個数（p）を「tと今回の並行駆動個数との差（m）」＋「V_last記録時の並行駆動個数（t）」とする。なお、このステップでは、pを演算することなく今回並行して駆動させるモータの個数をそのままpとしてもよい。
【００２５】
Ｓ３ではpが１か否かを判定する。すなわち、pが２以上であれば複数のモータを並行して駆動させることになるので、Ｓ１１に移行する。
【００２６】
Ｓ１１では、今回駆動時の最低電圧値の予測値（V_now）と並行駆動可否の判定用の基準電圧値（V_sync）とを比較する。このV_syncは「所定の基準電圧」であり、乾電池が新しく十分な電力量を蓄えている状態では前回駆動時の最低電圧値（V_last）は十分に高く、その結果、最低電圧値の予測値（V_now）も高くなるので、Ｓ５に移行する。
【００２７】
ところが、乾電池がある程度消耗してくると、V_nowがV_syncより低くなり、Ｓ１２に移行する。すなわち、この時点でのpの個数のモータを並行して駆動させることができない状態になる。例えばp=3、すなわち３個のモータを並行して駆動させようとしている場合であったとすると、いきなり並行駆動を止めて１個ずつモータを駆動させるのではなく、並行して駆動するモータの個数を１個ずつ減らして残りのモータを並行して駆動できるかどうかを判断する。そのため、Ｓ１２では最低電圧値の予測値（V_now）に１個分の１個の燃料弁を駆動したときの電圧降下値（V_down）を戻すと共に、次のＳ１３で並行して駆動させるモータの個数から１を減ずる。
【００２８】
p=2として再びＳ３に戻り、Ｓ１１に移行する。このとき、１個分の１個の燃料弁を駆動したときの電圧降下値（V_down）を戻された最低電圧値の予測値（V_now）が並行駆動可否の判定用の基準電圧値（V_sync）より高ければＳ５に移行し、まだ低ければＳ１１，Ｓ１２，Ｓ１３に順次移行してp=1の状態でＳ３に戻る。
【００２９】
Ｓ３に戻った時点でp=1であるから、Ｓ４に移行する。エラー停止となる基準電圧値（V_limit）はそれ以上乾電池の電圧が低下するとガスコンロ１の駆動に異常が生じるおそれのある値であり、本実施の形態では１．９ボルトに設定した。なお、V_limitはV_syncよりも低い値である。従って、最低電圧値の予測値（V_now）がエラー停止となる基準電圧値（V_limit）よりも低ければエラー停止となる。
【００３０】
次のＳ５では、Ｓ４から移行してきた場合にはp=1であるが、Ｓ１１から移行してきた場合にはpは２以上であり、複数個のモータを並行して駆動させることになる。
【００３１】
Ｓ６では、当初p=3であったものがp=3のままの状態でＳ６まで移行してきた場合、残りの燃料弁は存在しないので、Ｓ６はパスされる。当初p=3であったものがp=2の状態でＳ１１経由で移行してきた場合、残りの燃料弁は１個であるから、２個のモータを先行して並行して駆動させ、両モータが停止した後で残りの１個のモータを駆動させることになる。当初p=3であったものがp=1の状態でＳ４から移行してきた場合には、３個のモータをそれぞれ単独で駆動させる。すなわち、１個のモータの駆動が停止した後で次のモータを駆動させ、更にそのモータの駆動が停止した後で最後のモータを駆動させる。
【００３２】
次のＳ７では、いずれか１個のモータでも駆動中であればＳ８に移行する。Ｓ８ではいずれかのモータが駆動中に追加の点火操作がされ、駆動すべきモータが新たに追加されたか否かを監視する。追加の点火操作がされることなく全てのモータの駆動が停止すると、Ｓ７からＳ１４へと移行する。
【００３３】
Ｓ１４では、今回駆動時の最低電圧値の実測値（V_real）を新たなV_lastとして記憶して、点火操作がされたガスバーナの燃焼を継続する。
【００３４】
一方、追加の点火操作がされた場合には、駆動させるべきモータの個数が増加するので、最低電圧値の予測値（V_now）を更新する必要が生じる。そこで、最低電圧値の予測値（V_now）からモータ駆動中に駆動追加されるモータの個数（n）分の１個の燃料弁を駆動したときの電圧降下値（V_down）を引いた値を新たな最低電圧値の予測値（V_now）とすると共に（Ｓ９）、続くＳ１０でpの値に駆動追加されるモータの個数（n）を加えた値を新たなpとして更新し、Ｓ３に戻り、上記一連の判定を再度行うようにした。
【００３５】
ところで、上記フローでは、前回駆動時の最低電圧値（V_last）に基づいて最低電圧値の予測値（V_now）を求めているが（Ｓ１）、前回駆動時の最低電圧値（V_last）を記憶するステップＳ１４を廃止し、点火指示がされると最初にその時点での乾電池の電圧を測定し、その値から、並行して駆動させるモータの個数（p）を乗じた１個の燃料弁を駆動したときの電圧降下値（V_down）を減じて最低電圧値の予測値（V_now）としてもよい。
【００３６】
なお、本発明は上記した形態に限定されるものではなく、本発明の要旨を逸脱しない範囲内において種々の変更を加えてもかまわない。
【符号の説明】
【００３７】
１  ガスコンロ
３  グリル庫
４  元弁
１５  電池ケース
２１，２２，２３  ガスバーナ
３１  グリルバーナ
４１，４２，４３，４４  燃料弁
４１ａ，４２ａ，４３ａ，４４ａ  モータ
【図１】
2014137152.tif 000003
【図２】
2014137152.tif 000004
【図３】
2014137152.tif 000005